(57)【要約】【課題】嵌め込み式ガス調理器の燃焼用空気を上面側から供給することで、ガス置き台の燃焼用空気孔の工事を不要とし、良好な燃焼状態を維持できるバーナ構成を提供することを目的としたものである。【解決手段】天板１と、汁受け皿３と、この汁受け皿３の内周とバーナヘッド９の外周との間の空隙を覆うバーナリング４とを備え、このバーナリング４の外周壁面部にガス燃焼用の空気が流入するよう複数個の開口部４ａを設け、上面側から燃焼用空気を取り入れる構成としたものである。【選択図】  図３
2004270991.tif 000002
【特許請求の範囲】
【請求項１】
器具箱体の上面全体を覆うような天板と、コンロバーナの周囲に配設した汁受け皿と、この汁受け皿の内周とコンロバーナのバーナヘッド外周との間の空隙を覆うバーナリングと、外周壁面部にガス燃焼用の空気が流入するよう複数個の開口部を設けたことを特徴とする前記バーナリングを備えた嵌め込み式ガス調理器。
【請求項２】
上段リングと、下段リングとを一体に構成する支柱とからなり、上下リングと支柱間で開口部を設けたことを特徴とする請求項１記載のバーナリングを備えた嵌め込み式ガス調理器。
【請求項３】
上段リングは、外径方向への下側傾斜面を有するとともに、下段リングの外径と汁受け皿の内径より大きい外径を有する請求項１または２記載のバーナリングを備えた嵌め込み式ガス調理器。
【請求項４】
バーナリングの概略外形寸法を成形する鍛造加工工程と、バーナリングの外周壁面部の開口部を切削する切削加工工程とを具備する請求項１から３のいずれか１項記載のバーナリングの製造方法。
【発明の詳細な説明】
【０００１】
【発明の属する技術分野】
本発明は、ガス等を燃料とする嵌め込み式ガス調理器のコンロバーナのバーナリングに関するものである。
【０００２】
【従来の技術】
従来この種の嵌め込み式ガス調理器は、図９に示すようなガス調理器を図１０に示すようにガス置き台７に嵌め込まれて設置され、ガス調理器の燃焼に必要な空気の供給は、図１１および図１２に示すように天板１より下方に位置するバーナヘッド９、ガスを噴出するノズル１０等を内蔵載置する器具箱体６の底面部６ａおよび側面部６ｂに空気孔１５を設けて構成されている（例えば特許文献１参照）。
【０００３】
この構成で、ガスコック１１が開かれバーナヘッド９にノズル１０からガスが供給されると、ノズル１０付近の空気１２がエジェクター効果によりガスの流れ方向に沿って、同時にバーナヘッド９内に吸引される。そして、バーナキャップ５に達したガスと空気の混合気に点火されると燃焼を開始し、燃焼に必要な新鮮空気は前記器具箱体６に設けられた空気孔１５から流入給気されて、完全燃焼が継続するというものであった。
【０００４】
【特許文献１】
特開２００２−２００９８３号公報（第１１−１１頁、第１４図）
【０００５】
【発明が解決しようとする課題】
しかしながら従来のこの種の嵌め込み式ガス調理器では、図１０に示すように器具箱体６が置き台７の庫内側に収納されてしまうため、器具箱体６の側面及び底面に設けた空気孔１５から流入する空気は、時間経過とともに不足してくることになる。そのため、ガス置き台７の庫内側に完全燃焼を行うために必要な空気を庫内の外側から取り入れる空気孔８を設ける必要があり、器具メーカーでは取扱説明書、工事説明書に空気取入用の孔の工事を行ってもらうように記載し、指導している。
【０００６】
しかし、現実はこの空気孔８をあける工事がなされないまま、ガス調理器を使用される家庭が少なくなかった。そのため空気不足により不完全燃焼の原因や器具本体の温度が異常に高くなるという課題があった。
【０００７】
【課題を解決するための手段】
本発明は上記従来の課題を解決するもので、コンロバーナの周囲の汁受け皿の内周とバーナヘッド外周との間の空隙を覆うバーナリング外周壁面部の中央部に、ガス燃焼用の空気が流入するよう複数個の開口部を設け、器具の上面側から燃焼用空気を取り入れる構成としたものである。
【０００８】
上記の発明によれば、燃焼に必要な空気はバーナリング外周壁面部の開口部より供給されるので、ガス置き台、流し台等の庫内側に完全燃焼を行うための必要な空気を庫内の外側から取り入れる空気孔を設ける必要がなく、空気孔をあける工事が不要でありながら、良好な燃焼状態が継続できる。
【０００９】
また、器具箱体の底面部に空気孔がないので、コンロバーナで調理中の煮汁等がふきこぼれて器具内に落下しても器具外にこぼれることなく、ガス置き台内側の掃除もなくなり、使い勝手のよい嵌め込み式ガス調理器が実現できる。
【００１０】
【発明の実施の形態】
請求項１記載の発明は、器具箱体の上面全体を覆うような天板と、コンロバーナの周囲に配設した汁受け皿と、この汁受け皿の内周とバーナヘッド外周との間の空隙を覆うバーナリングとを備え、前記バーナリングの外周壁面部にガス燃焼用の空気が流入するよう複数個の開口部を設けたものである。
【００１１】
そして、バーナリングに開口部を設けたことにより、嵌め込み式ガス調理器では、嵌めこむ部材（ガス置き台、流し台等）の庫内側に完全燃焼を行うための必要な空気を庫内の外側から取り入れる空気孔を設ける必要がなく、器具メーカーの取扱説明書、工事説明書に空気取入用の孔の工事を行うよう記載も必要としない。よって、庫内側に燃焼用空気孔を設けない状態でガス調理器を使用されても、空気不足による不完全燃焼の心配がなく、器具本体の温度も異常に高くなるということもなく、工事性の優れた嵌め込み式ガス調理器が実現できる。
【００１２】
また、器具箱体の底面部および側面部に空気孔がないので、コンロバーナで調理中の煮汁等がふきこぼれて器具内に落下しても器具外にこぼれることなく、ガス置き台内の掃除もなくなり、使い勝手の良い嵌め込み式ガス調理器が実現できる。
【００１３】
また、近年増加しつつある天板材質がガラスの場合、器具箱体内に流入する燃焼に必要な空気が天板の表面上を流れるため、バーナ燃焼による天板温度の上昇を抑制することができる。
【００１４】
さらに、器具箱体の底面部および側面部に空気孔がないので、器具箱体に空気孔のプレス加工する必要がなく金型も簡素化でき、安価で加工しやすい嵌め込み式ガス調理器が実現できる。
【００１５】
また、請求項２記載の発明は、バーナリングは、バーナリング外周壁面部の中央部に全周開口部と、この開口部を全周形成する上段リングと下段リングとを支える複数の支柱を有するものである。
【００１６】
そして、全周に開口部を設けることにより開口部の面積が大きくとれるので、燃焼に必要な空気を十分に供給することができる。
【００１７】
また、請求項３記載の発明は、バーナリングの上段リングは、外径方向への下側傾斜面を有し、リング下段の外周径と汁受け皿の内径より大きい外径を有するものである。
【００１８】
そして、バーナリングの上面は下方向の傾斜面を有するとともに、外周径は汁受け皿の内径より大きいため、鍋からの煮汁が器具内部へ侵入しにくいので掃除の手間がかからず、使い勝手の向上が図れる。
【００１９】
また、請求項４記載の発明は、バーナリングの形状は、バーナーリングの概略外形寸法を成形する鍛造加工工程と、バーナリングの外周壁面部の開口部を切削する切削加工工程からなっている。
【００２０】
そして、加工の大部分が鍛造加工でできるため、すべて切削加工する場合より加工時間が少なく極めて安価な器具を提供できる。
【００２１】
【実施例】
以下、本発明の実施例について図面を用いて説明する。
【００２２】
（実施例１）
図１は、本発明の実施例１における嵌め込み式ガス調理器の平面図、図２は、嵌め込み式ガス調理器を嵌めこむ部材（ガス置き台等）に嵌めこんだ状態を示す正面図、図３は、同コンロバーナとバーナリングと汁受け皿の構成断面図である。  図４は、図３の要部構成断面図である。
【００２３】
図１において、天板１の上面にコックツマミ２と汁受け皿３、バーナリング４、バーナキャップ５が載置されている。そして、図２に示すように、上記天板１の上面にあるコックツマミ２、汁受け皿３、バーナリング４、バーナキャップ５等の本体部を収納する器具箱体６が、ガス置き台７に嵌め込み設置されている。
【００２４】
一般的に、ガス置き台７は前面に扉を有し、周囲はほぼ密閉された空間の箱状に製作されている。従来の嵌め込み式ガス調理器は、燃焼に必要な空気を確保するため、ガス置き台７に空気供給口８（図１０に図示）を空間周囲の壁面の一部に孔をあけて設ける必要があった。
【００２５】
図３および図４において、天板１の下部には、燃焼用炎孔を有したバーナキャップ５を載置するガスと空気を混合するバーナヘッド９と、ガスを噴出するノズル１０、ガスコック本体１１が器具箱体６内に収納されている。バーナリング４は外周壁面部に円形状の開口部４ａが全周に配列されているとともに、バーナキャップ５の外側に位置し、汁受け皿３の内周とバーナヘッド９の外周との間の空隙を覆うように配設し、煮汁が器具箱体６内に侵入するのを防いでいる。器具箱体６には図１２に示す従来の嵌め込み式ガス調理器の器具箱体６の底面部６ａおよび側面部６ｂに燃焼に必要な空気を供給する空気孔１５を設けていない。
【００２６】
次に動作、作用について説明すると、図３において、ガスコック本体１１を開くと、ノズル１０から噴出されたガスは、器具箱体６内にある空気を一次空気１３として共にバーナヘッド９の内部へと入り、バーナキャップ５からガスと空気の混合気として噴出され点火装置（図示せず）により点火された後、燃焼が継続する。燃焼には燃料と空気が必要であり、燃焼に必要な空気は、バーナリング４の外周壁面部の円形状の開口部４ａと、バーナリング４と汁受け皿３の空隙から新鮮空気１２が器具箱体６内へ供給される。
【００２７】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。このような状態が継続して安定した良好な燃焼を確保する。
【００２８】
そして、器具箱体の底面部に空気孔がないので、コンロバーナで調理中の煮汁等がふきこぼれて器具内に落下しても器具外にこぼれることなく、ガス置き台内側の掃除もなくなり、使い勝手のよい嵌め込み式ガス調理器が実現できる。さらに、バーナリングに空気孔を設けるとともに、煮こぼれ防止形状とすることで、部品を追加することなく、調理中の煮汁が器具内に入ることを防止するとともに、燃焼に必要な空気を供給できるため安価な器具を提供することができる。
【００２９】
（実施例２）
図５は、本発明の実施例２における嵌め込み式ガス調理器の構成断面図、図６は同ガス調理器のバーナリング４の縦断面図、正面図および裏面図である。
【００３０】
図５において、実施例１と異なる点は、バーナリング４の外周壁面部に全周にわたり、切削加工された全周開口部４ｂを備えている点である。
【００３１】
また、この全周開口部４ｂを形成する上部リング４ｄと下部リング４ｅは複数の支柱４ｃで支えられている。なお、実施例１と同一符号のものは同一構造を示し、説明を省略する。
【００３２】
次に作用について説明すると、図５のように燃焼に必要な空気は全周開口部４ｂと、下部リング４ｅと汁受け皿３との空隙から流入する。
【００３３】
そして、バーナリングは、バーナリング外周壁面部の全周に開口部をもっているため、燃焼に必要な空気を取り入れる面積が広く確保でき、十分に空気を取り入れることができる。さらに、バーナリングの開口部は上部リングと下部リングの間で構成されているため、給気面積すなわち開口部が広いにもかかわらず、器具内の特にバーナーヘッドのような内蔵物が開口部から露出して見えてしまうのを防ぐことができる。よって、使用者からの外観上の見栄えが格段によくなるとともに、煮汁の飛散物がバーナヘッド等の器具内に入りにくいため、器具内の掃除の必要がなく、見栄えのよい器具を提供することができる。
【００３４】
なお、下部リング４ｅと全周開口部はコンロバーナの構成によっては複数個に重ねることもできる。
【００３５】
（実施例３）
図７は、本発明の実施例３における嵌め込み式ガス調理器の構成断面図である。
【００３６】
図７において、実施例２と異なる点は、上部リング４ｄの外径が下部リング４ｅの外径より大きく設定されている点と、上部リング４ｄは外径方向へ下側傾斜面４ｆを持っている点である。なお、実施例１と同一符号のものは同一構造を示し、説明を省略する。
【００３７】
次に作用について説明すると、図７において調理中に鍋１６から上部リング４ｄに落ちた煮汁１５は、下側傾斜面４ｆに沿って外側に流れていき、下部リング４ｅに伝わることなく汁受け皿３に溜まる。つまり煮汁１５が汁受皿３の内側の空隙を通って器具箱体６内（図示せず）に侵入するのを防いでいる。さらに、上部リングは下側傾斜面をもち、上部リングの外径は下部リングの外径より大きいので、調理中に鍋から落ちた煮汁は、上部リングの外側に流れていき、下部リングに伝わることなく汁受け皿に溜まり、煮汁が器具箱体内に侵入するのを防ぐことができ、器具内の掃除の必要がなくなる。
【００３８】
（実施例４）
図８は、本発明の実施例４における嵌め込み式ガス調理器のバーナリングの鍛造加工後の３面図である。切削加工後の形状は、例えば実施例２の図５および図６に示している。
【００３９】
図８において、鍛造加工時にはバーナリング４の外周壁面部４ｇに開口部がない状態で鍛造加工されている。そして、図６に示すように、その後の旋盤の切削加工で全周開口部４ｂがあけられる製造法である。
【００４０】
【発明の効果】
以上のように、本発明の嵌め込み式ガス調理器によれば、次の効果を得ることができる。バーナリングの外周壁面部に開口部を設け、上面側開放空間より燃焼に必要な空気を供給できるため、器具箱体の底面、側面に空気孔を設ける必要がなく、さらにガス置き台、流し台等の庫内側に完全燃焼を行うための必要な空気を庫内の外側から取り入れる空気孔をあける必要もないので、空気孔をあける工事が不要でありながら、良好な燃焼状態が継続できる。
【図面の簡単な説明】
【図１】本発明の実施例１における嵌め込み式ガス調理器の平面図
【図２】同調理器をガス置き台に嵌めこんだ状態を示す正面図
【図３】同調理器におけるコンロバーナとバーナリングと汁受け皿の構成断面図
【図４】同調理器における
（ａ）コンロバーナとバーナリングと汁受け皿の要部構成断面図
（ｂ）バーナリングの正面図
【図５】本発明の実施例２における嵌め込み式ガス調理器の要部構成断面図
【図６】同調理器におけるバーナリングの
（ａ）縦断面図
（ｂ）正面図
（ｃ）裏面図
【図７】本発明の実施例３における嵌め込み式ガス調理器の要部構成断面図
【図８】本発明の実施例４における嵌め込み式ガス調理器のバーナリングの鍛造加工時の
（ａ）縦断面図
（ｂ）正面図
（ｃ）裏面図
【図９】従来の嵌め込み式ガス調理器の平面図
【図１０】同ガス調理器をガス置き台に嵌めこんだ状態を示す正面図
【図１１】同ガス調理器におけるコンロバーナと汁受け皿とバーナリングの構成断面図と空気の流れ図
【図１２】同ガス調理器の器具箱体の平面図及び側面図
【符号の説明】
１  天板
３  汁受け皿
４  バーナリング
４ａ  開口部
４ｂ  全周開口部
４ｃ  支柱
４ｄ  上部リング
４ｅ  下部リング
４ｆ  下側傾斜面
４ｇ  外周壁面部
５  バーナキャップ（コンロバーナ）
６  器具箱体
９  バーナヘッド
【図１】
2004270991.tif 000003
【図２】
2004270991.tif 000004
【図３】
2004270991.tif 000005
【図４】
2004270991.tif 000006
【図５】
2004270991.tif 000007
【図６】
2004270991.tif 000008
【図７】
2004270991.tif 000009
【図８】
2004270991.tif 000010
【図９】
2004270991.tif 000011
【図１０】
2004270991.tif 000012
【図１１】
2004270991.tif 000013
【図１２】
2004270991.tif 000014